(57)【要約】【課題】  電話回線は通常は、電話局の局内装置と個々の電話機とを一対一で上下２本の金属線で接続してあり、これらの複数の回線が一束にまとめられて一本のケーブルに収容されている。このため、一本のケーブル内の一つの電話回線の信号が同一ケーブル内の他の回線にノイズとして取り込まれるいわゆる漏話と称される現象が発生する場合がある。このような漏話現象がｘＤＳＬ通信路として使用されている電話回線で生じると、ラジオ受信機，アマチュア無線等で使用している周波数帯に悪影響を与える虞がありうる。【解決手段】  ２本で一組の金属線からなる電話回線を複数束ねたケーブル１の内の使用されていない電話回線1-2 の一端部又は両端部で２本の金属線を抵抗Ｒ１を介して接続する。【選択図】        図１
2005027226.tif 000002
【特許請求の範囲】
【請求項１】
ケーブル内に複数が束ねられていて２本で一組の金属線からなる電話回線で局側装置と端末装置とを接続して電話帯域の周波数よりも高い周波数でデジタル信号を伝送するｘＤＳＬ通信用線路の前記ケーブル内に束ねられた複数の電話回線中に使用されていない電話回線が存在する場合のノイズ低減方法において、
前記使用されていない電話回線の一端部又は両端部で２本の金属線を抵抗を介して接続することを特徴とするｘＤＳＬ通信用線路のノイズ低減方法。
【請求項２】
ケーブル内に複数が束ねられている金属製の電話回線で局側装置のポートと端末装置のポートとを接続して電話帯域の周波数よりも高い周波数でデジタル信号を伝送するｘＤＳＬ通信用線路の前記ケーブル内に束ねられた複数の電話回線中に使用されていない電話回線が存在する場合のノイズ低減方法において、
前記使用されていない電話回線の前記局側装置の側の端部を前記局側装置の使用されていないポートに接続することを特徴とするｘＤＳＬ通信用線路のノイズ低減方法。
【請求項３】
ケーブル内に複数が束ねられていて２本で一組の金属線からなる電話回線の各金属線で局側装置に備えられたポートが有する二つの端子と端末装置に備えられたポートが有する二つの端子とをそれぞれ接続して電話帯域の周波数よりも高い周波数でデジタル信号を伝送するｘＤＳＬ通信用線路の前記ケーブル内に束ねられた複数の電話回線中に使用されていない電話回線が存在する場合のノイズ低減方法において、
前記局側装置に二つの端子間を抵抗を介して接続したダミーポートを備えさせ、
前記使用されていない電話回線の前記局側装置の側の端部で２本の金属線を、前記局側装置のダミーポートの二つの端子に接続することにより、前記抵抗を介して接続することを特徴とするｘＤＳＬ通信用線路のノイズ低減方法。
【請求項４】
ケーブル内に複数が束ねられていて２本で一組の金属線からなる電話回線で局側装置と端末装置とを接続して電話帯域の周波数よりも高い周波数でデジタル信号を伝送するｘＤＳＬ通信用線路の前記ケーブル内に束ねられた複数の電話回線中に使用されていない電話回線が存在する場合のノイズ低減方法において、
前記使用されていない電話回線の中途の位置で２本の金属線を抵抗を介して接続することを特徴とするｘＤＳＬ通信用線路のノイズ低減方法。
【請求項５】
前記抵抗が前記使用されていない電話回線のインピーダンスに相当する抵抗値を有することを特徴とする請求項１、３又は４のいずれかに記載のｘＤＳＬ通信用線路のノイズ低減方法。
【請求項６】
ケーブル内に複数が束ねられていて２本で一組の金属線からなる電話回線で局側装置と端末装置とを接続して電話帯域の周波数よりも高い周波数でデジタル信号を伝送するｘＤＳＬ通信用線路の前記ケーブル内に束ねられた複数の電話回線中に存在する使用されていない電話回線の終端装置において、
前記使用されていない電話回線の一端部又は両端部で２本の金属線を接続する抵抗を備えたことを特徴とするｘＤＳＬ通信用線路の終端装置。
【請求項７】
前記抵抗が前記使用されていない電話回線のインピーダンスに相当する抵抗値を有することを特徴とする請求項６に記載のｘＤＳＬ通信用線路のｘＤＳＬ通信用線路の終端装置。
【請求項８】
ケーブル内に複数が束ねられていて２本で一組の金属線からなる電話回線の各金属線がそれぞれ接続される二つの端子を有するポートを備え、前記二つの端子を前記ケーブル内の電話回線で端末装置に備えられたポートが有する二つの端子と接続して電話帯域の周波数よりも高い周波数でデジタル信号を伝送するｘＤＳＬ通信用局側装置において、
二つの端子間を抵抗を介して接続したダミーポートを備え、
前記ケーブル内に束ねられた複数の電話回線中に使用されていない電話回線が存在する場合に、前記使用されていない電話回線の前記局側装置の側の端部で２本の金属線を前記局側装置のダミーポートの二つの端子に接続するようにしてあること
を特徴とするｘＤＳＬ通信用局側装置。
【請求項９】
前記抵抗が前記使用されていない電話回線のインピーダンスに相当する抵抗値を有することを特徴とする請求項８に記載のｘＤＳＬ通信用局側装置。
【請求項１０】
ケーブル内に複数が束ねられていて２本で一組の金属線からなる電話回線で局側装置と端末装置とを接続して電話帯域の周波数よりも高い周波数でデジタル信号を伝送するｘＤＳＬ通信用線路の中途の位置で各電話回線を接続する中継装置において、
前記ケーブル内に束ねられた複数の電話回線中に使用されていない電話回線が存在する場合に、前記使用されていない電話回線の２本の金属線を接続する抵抗を備えたことを特徴とするｘＤＳＬ通信用線路の中継装置。
【請求項１１】
前記抵抗が前記使用されていない電話回線のインピーダンスに相当する抵抗値を有することを特徴とする請求項１０に記載のｘＤＳＬ通信用線路の中継装置。
【請求項１２】
ケーブル内に複数が束ねられていて２本で一組の金属線からなる電話回線で局側装置と端末装置とを接続して電話帯域の周波数よりも高い周波数でデジタル信号を伝送するｘＤＳＬ通信システムにおいて、
前記ケーブル内に束ねられた複数の電話回線中に使用されていない電話回線が存在する場合に、前記使用されていない電話回線の一端部又は両端部の２本の金属線を抵抗を介して接続してあることを特徴とするｘＤＳＬ通信システム。
【請求項１３】
ケーブル内に複数が束ねられている金属製の電話回線で局側装置のポートと端末装置のポートとを接続して電話帯域の周波数よりも高い周波数でデジタル信号を伝送するｘＤＳＬ通信システムにおいて、
前記ケーブル内に束ねられた複数の電話回線中に使用されていない電話回線が存在する場合に、前記使用されていない電話回線の前記局側装置の側の端部を前記局側装置の使用されていないポートに接続してあることを特徴とするｘＤＳＬ通信システム。
【請求項１４】
ケーブル内に複数が束ねられていて２本で一組の金属線からなる電話回線の各金属線がそれぞれ接続される二つの端子を有するポートを備えた局側装置の前記二つの端子を前記ケーブル内の電話回線で端末装置に備えられたポートが有する二つの端子と接続して電話帯域の周波数よりも高い周波数でデジタル信号を伝送するｘＤＳＬ通信システムにおいて、
前記局側装置は、二つの端子間を抵抗で接続したダミーポートを備え、
前記ケーブル内に束ねられた複数の電話回線中に使用されていない電話回線が存在する場合に、前記使用されていない電話回線の前記局側装置の側の端部の２本の金属線が、前記局側装置のダミーポートの二つの端子に接続することにより、前記抵抗を介して接続されていることを特徴とするｘＤＳＬ通信システム。
【請求項１５】
ケーブル内に複数が束ねられていて２本で一組の金属線からなる電話回線で局側装置と端末装置とを接続して電話帯域の周波数よりも高い周波数でデジタル信号を伝送する通信用線路の中途の位置で各電話回線を接続する中継装置を備えたｘＤＳＬ通信システムにおいて、
前記ケーブル内に束ねられた複数の電話回線中に使用されていない電話回線が存在する場合に、前記使用されていない電話回線の２本の金属線を接続する抵抗を前記中継装置に備えたことを特徴とするｘＤＳＬ通信システム。
【請求項１６】
前記抵抗が前記使用されていない電話回線のインピーダンスに相当する抵抗値を有することを特徴とする請求項１２乃至１５のいずれかに記載のｘＤＳＬ通信システム。
【発明の詳細な説明】
【技術分野】
【０００１】
本発明は金属製の電話回線をいわゆるＤＳＬ (Digital Subscriber Line)通信（ＡＤＳＬ, ＶＤＳＬ等）のデジタル通信用線路として利用した場合の電話回線から放射するノイズを低減する方法、そのための終端装置、局側装置、中継装置、及びｘＤＳＬ通信システムに関する。
【背景技術】
【０００２】
金属製の電話回線を利用してディジタル信号の高速伝送を行なうｘＤＳＬ通信方式が普及している。これは、電話帯域が比較的低い周波数帯域であることに着目し、比較的高い周波数帯域のデジタル信号を金属製の電話回線を利用して伝送する技術である。
【０００３】
ところで、上述のようなｘＤＳＬ通信に際しては電話回線からの放射が発生することが知られている。ｘＤＳＬ通信では０乃至１２MHz の周波数帯を使用しているため、このような電話回線からの放射の周波数は、ｘＤＳＬ通信と同一周波数帯を使用しているラジオ受信機，アマチュア無線等に悪影響を与えるおそれがありうる。
【０００４】
電話回線は通常は、電話局の局内装置と個々の電話機とを一対一で上下２本の金属線で接続してあり、これらの複数の回線が一束にまとめられて一本のケーブルに収容されている。このため、一本のケーブル内の一つの電話回線の信号が同一ケーブル内の他の回線にノイズとして取り込まれるいわゆる漏話と称される現象が発生する場合がある。
【０００５】
このような電話回線をｘＤＳＬ通信用線路として利用すると、漏話した先の回線が使用されていない回線である場合、そのような使用されていない回線は終端に電話機等が接続されていない開放状態にあることが通常であるため、漏話したｘＤＳＬ信号がそのような使用されていない回線の開放された終端で反射する。このようにして生じた漏話信号の反射波により定在波が発生し、これが周囲に放射することにより、特定の周波数の放射電界が強くなると考えられる。
【０００６】
図９は本願発明者が電波暗室を使用して放射電界を測定した結果を示すための、試験方法の模式図（図９(a))及び試験結果のグラフ（図９(b))である。
【０００７】
図９(a) に示すように、局側装置に相当するＤＳＬ親機１０と端末装置に相当するＤＳＬ端末機２０とをケーブル１に収容されている電話回線1-1 を介して接続した。また、ケーブル１には上述の電話回線1-1 の他に電話回線1-2 も収容されており、この電話回線1-2 の両端は共に開放されている。換言すれば、同一のケーブル１に収容されている電話回線1-1 はＤＳＬ伝送路として使用中の状態を、他の電話回線1-2 は使用されていない状態をそれぞれ模擬している。
【０００８】
この図９(a) に示す状態で、電話回線1-1 を使用してＤＳＬ通信を行なうと、未使用の電話回線1-2 への漏話が発生し、この漏話した信号が電話回線1-2 の共に開放されている両端で反射を反復し、図９(b) に示すような放射電界強度の測定結果が得られた。なお、この実験でのケーブル１の長さは１１ｍとした。
【０００９】
図９(b) のグラフからは、５MHz 及び１０MHz 近辺で放射電界のピークが発生していることが読み取れる。但し、どのような周波数で放射電界強度が強くなるかは、ＤＳＬ通信に使用する周波数，ケーブル１の長さ等により異なると考えられるが、いずれにしても０乃至１２KHz の範囲内のいずれかの周波数にピークを有する放射電界が発生することが確認された。
【００１０】
このような事情から従来はラジオ受信機，アマチュア無線等で使用している周波数帯と重なる周波数の部分のＰＳＤ(Power Spectral Density:電力スペクトラム密度）を低下させるためのノッチ機能を導入することにより、ラジオ受信機，アマチュア無線等に悪影響を与える可能性を回避するようにしていた。しかしこの場合、ラジオ受信機，アマチュア無線等と干渉する周波数のＰＳＤを低下させることにより、データ伝送速度が低下するという問題が生じる。
【００１１】
また、たとえばコモンモードチョークコイル又はＴ型フィルタを使用した放射ノイズ低減回路によりノイズ低減を図った発明がある（特許文献１参照）。しかしこの特許文献１に開示されている発明は、たとえばＬＡＮ回線等の専用の伝送ケーブルを対象としており、電話回線からの放射電界を低減するためのものではない。
【特許文献１】特開平８−８４１２４号公報
【発明の開示】
【発明が解決しようとする課題】
【００１２】
以上のように、ＤＳＬ通信に伴う電話回線からの放射電界を低減するための技術は未だ確立されていない。そこで、本発明では、ＤＳＬ通信に伴う電話回線からの放射電界を低減することが可能な方法、そのための終端装置、局側装置、中継装置、及びｘＤＳＬ通信システムの提供を目的とする。
【課題を解決するための手段】
【００１３】
第１の発明に係るｘＤＳＬ通信用線路のノイズ低減方法は、ケーブル内に複数が束ねられていて２本で一組の金属線からなる電話回線で局側装置と端末装置とを接続して電話帯域の周波数よりも高い周波数でデジタル信号を伝送するｘＤＳＬ通信用線路の前記ケーブル内に束ねられた複数の電話回線中に使用されていない電話回線が存在する場合のノイズ低減方法において、前記使用されていない電話回線の一端部又は両端部で２本の金属線を抵抗を介して接続することを特徴とする。
【００１４】
このような第１の発明のｘＤＳＬ通信用線路のノイズ低減方法では、使用されていない電話回線の一端部又は両端部で２本の金属線が抵抗を介して接続され、漏話信号の反射が生じ難い。
【００１５】
第２の発明に係るｘＤＳＬ通信用線路のノイズ低減方法は、ケーブル内に複数が束ねられている金属製の電話回線で局側装置のポートと端末装置のポートとを接続して電話帯域の周波数よりも高い周波数でデジタル信号を伝送するｘＤＳＬ通信用線路の前記ケーブル内に束ねられた複数の電話回線中に使用されていない電話回線が存在する場合のノイズ低減方法において、前記使用されていない電話回線の前記局側装置の側の端部を前記局側装置の使用されていないポートに接続することを特徴とする。
【００１６】
このような第２の発明のｘＤＳＬ通信用線路のノイズ低減方法では、使用されていない電話回線の局側装置の側の端部が局側装置の使用されていないポートに接続され、漏話信号の反射が生じ難い。
【００１７】
第３の発明に係るｘＤＳＬ通信用線路のノイズ低減方法は、ケーブル内に複数が束ねられていて２本で一組の金属線からなる電話回線の各金属線で局側装置に備えられたポートが有する二つの端子と端末装置に備えられたポートが有する二つの端子とをそれぞれ接続して電話帯域の周波数よりも高い周波数でデジタル信号を伝送するｘＤＳＬ通信用線路の前記ケーブル内に束ねられた複数の電話回線中に使用されていない電話回線が存在する場合のノイズ低減方法において、前記局側装置に二つの端子間を抵抗を介して接続したダミーポートを備えさせ、前記使用されていない電話回線の前記局側装置の側の端部で２本の金属線を、前記局側装置のダミーポートの二つの端子に接続することにより、前記抵抗を介して接続することを特徴とする。
【００１８】
このような第３の発明のｘＤＳＬ通信用線路のノイズ低減方法では、使用されていない電話回線の局側装置の側の端部で２本の金属線が、局側装置のダミーポートの二つの端子に接続されることにより、抵抗を介して接続され、漏話信号の反射が生じ難い。
【００１９】
第４の発明に係るｘＤＳＬ通信用線路のノイズ低減方法は、ケーブル内に複数が束ねられていて２本で一組の金属線からなる電話回線で局側装置と端末装置とを接続して電話帯域の周波数よりも高い周波数でデジタル信号を伝送するｘＤＳＬ通信用線路の前記ケーブル内に束ねられた複数の電話回線中に使用されていない電話回線が存在する場合のノイズ低減方法において、前記使用されていない電話回線の中途の位置で２本の金属線を抵抗を介して接続することを特徴とする。
【００２０】
このような第４の発明のｘＤＳＬ通信用線路のノイズ低減方法では、使用されていない電話回線の中途の位置で２本の金属線が抵抗を介して接続され、漏話信号の反射が生じ難い。
【００２１】
第５の発明に係るｘＤＳＬ通信用線路のノイズ低減方法は、上述の第１、第３又は第４の発明のいずれかにおいて、前記抵抗が前記使用されていない電話回線のインピーダンスに相当する抵抗値を有することを特徴とする。
【００２２】
このような第５の発明のｘＤＳＬ通信用線路のノイズ低減方法では、上述の第１、第３又は第４の発明のいずれかにおいて、抵抗が使用されていない電話回線のインピーダンスに相当する抵抗値を有するので、使用されていない電話回線での漏話信号の反射がほとんど生じない。
【００２３】
また第６の発明に係るｘＤＳＬ通信用線路の終端装置は、ケーブル内に複数が束ねられていて２本で一組の金属線からなる電話回線で局側装置と端末装置とを接続して電話帯域の周波数よりも高い周波数でデジタル信号を伝送するｘＤＳＬ通信用線路の前記ケーブル内に束ねられた複数の電話回線中に存在する使用されていない電話回線の終端装置において、前記使用されていない電話回線の一端部又は両端部で２本の金属線を接続する抵抗を備えたことを特徴とする。
【００２４】
このような第６の発明のｘＤＳＬ通信用線路の終端装置では、使用されていない電話回線の一端部又は両端部で２本の金属線を接続する抵抗が備えられているので、漏話信号の反射が生じ難い。
【００２５】
第７の発明に係るｘＤＳＬ通信用線路の終端装置では、第６の発明において、前記抵抗が前記使用されていない電話回線のインピーダンスに相当する抵抗値を有することを特徴とする。
【００２６】
このような第７の発明のｘＤＳＬ通信用線路の終端装置では、第６の発明において、抵抗が使用されていない電話回線のインピーダンスに相当する抵抗値を有するので、使用されていない電話回線での漏話信号の反射がほとんど生じない。
【００２７】
第８の発明に係るｘＤＳＬ通信用局側装置は、ケーブル内に複数が束ねられていて２本で一組の金属線からなる電話回線の各金属線がそれぞれ接続される二つの端子を有するポートを備え、前記二つの端子を前記ケーブル内の電話回線で端末装置に備えられたポートが有する二つの端子と接続して電話帯域の周波数よりも高い周波数でデジタル信号を伝送するｘＤＳＬ通信用局側装置において、二つの端子間を抵抗を介して接続したダミーポートを備え、前記ケーブル内に束ねられた複数の電話回線中に使用されていない電話回線が存在する場合に、前記使用されていない電話回線の前記局側装置の側の端部で２本の金属線を前記局側装置のダミーポートの二つの端子に接続するようにしてあることを特徴とする。
【００２８】
このような第８の発明に係るｘＤＳＬ通信用局側装置では、二つの端子間を抵抗を介して接続したダミーポートを備えており、ケーブルに束ねられた複数の電話回線に使用されていない電話回線の局側装置の側の端部で２本の金属線が局側装置のダミーポートの二つの端子に接続されるので、漏話信号の反射が生じ難い。
【００２９】
第９の発明に係るｘＤＳＬ通信用局側装置は、第８の発明において、前記抵抗が前記使用されていない電話回線のインピーダンスに相当する抵抗値を有することを特徴とする。      
【００３０】
このような第９の発明に係るｘＤＳＬ通信用局側装置では、第８の発明において、抵抗が使用されていない電話回線のインピーダンスに相当する抵抗値を有するので、使用されていない電話回線での漏話信号の反射がほとんど生じない。
【００３１】
第１０の発明に係るｘＤＳＬ通信用線路の中継装置は、ケーブル内に複数が束ねられていて２本で一組の金属線からなる電話回線で局側装置と端末装置とを接続して電話帯域の周波数よりも高い周波数でデジタル信号を伝送するｘＤＳＬ通信用線路の中途の位置で各電話回線を接続する中継装置において、前記ケーブル内に束ねられた複数の電話回線中に使用されていない電話回線が存在する場合に、前記使用されていない電話回線の２本の金属線を接続する抵抗を備えたことを特徴とする。
【００３２】
このような第１０の発明に係るｘＤＳＬ通信用線路の中継装置では、ケーブルに束ねられた複数の電話回線に使用されていない電話回線の２本の金属線を接続する抵抗を備えているので、漏話信号により定在波が発生したとしてもその電力を逃がすことができる。
【００３３】
第１１の発明に係るｘＤＳＬ通信用線路の中継装置は、第１０の発明において、前記抵抗が前記使用されていない電話回線のインピーダンスに相当する抵抗値を有することを特徴とする。
【００３４】
このような第１１の発明に係るｘＤＳＬ通信用局側装置では、第１０の発明において、抵抗が使用されていない電話回線のインピーダンスに相当する抵抗値を有するので、使用されていない電話回線で漏話信号により定在波が発生したとしてもその電力をより確実に逃がすことができる。
【００３５】
第１２の発明に係るｘＤＳＬ通信システムは、ケーブル内に複数が束ねられていて２本で一組の金属線からなる電話回線で局側装置と端末装置とを接続して電話帯域の周波数よりも高い周波数でデジタル信号を伝送するｘＤＳＬ通信システムにおいて、前記ケーブル内に束ねられた複数の電話回線中に使用されていない電話回線が存在する場合に、前記使用されていない電話回線の一端部又は両端部の２本の金属線を抵抗を介して接続してあることを特徴とする。
【００３６】
このような第１２の発明に係るｘＤＳＬ通信システムでは、ケーブルに束ねられた複数の電話回線に使用されていない電話回線の一端部又は両端部の２本の金属線が抵抗を介して接続されているので、漏話信号の反射が生じ難い。
【００３７】
第１３の発明に係るｘＤＳＬ通信システムは、ケーブル内に複数が束ねられている金属製の電話回線で局側装置のポートと端末装置のポートとを接続して電話帯域の周波数よりも高い周波数でデジタル信号を伝送するｘＤＳＬ通信システムにおいて、前記ケーブル内に束ねられた複数の電話回線中に使用されていない電話回線が存在する場合に、前記使用されていない電話回線の前記局側装置の側の端部を前記局側装置の使用されていないポートに接続してあることを特徴とする。
【００３８】
このような第１３の発明に係るｘＤＳＬ通信システムでは、ケーブルに束ねられた複数の電話回線に使用されていない電話回線の局側装置の側の端部が局側装置の使用されていないポートに接続されているので、漏話信号の反射が生じ難い。
【００３９】
第１４の発明に係るｘＤＳＬ通信システムは、ケーブル内に複数が束ねられていて２本で一組の金属線からなる電話回線の各金属線がそれぞれ接続される二つの端子を有するポートを備えた局側装置の前記二つの端子を前記ケーブル内の電話回線で端末装置に備えられたポートが有する二つの端子と接続して電話帯域の周波数よりも高い周波数でデジタル信号を伝送するｘＤＳＬ通信システムにおいて、前記局側装置は、二つの端子間を抵抗で接続したダミーポートを備え、前記ケーブル内に束ねられた複数の電話回線中に使用されていない電話回線が存在する場合に、前記使用されていない電話回線の前記局側装置の側の端部の２本の金属線が、前記局側装置のダミーポートの二つの端子に接続することにより、前記抵抗を介して接続されていることを特徴とする。
【００４０】
このような第１４の発明に係るｘＤＳＬ通信システムでは、局側装置が二つの端子間を抵抗で接続したダミーポートを備えており、ケーブルに束ねられた複数の電話回線に使用されていない電話回線の局側装置の側の端部の２本の金属線が局側装置のダミーポートの二つの端子に接続することにより、抵抗を介して接続されているので、漏話信号の反射が生じ難い。
【００４１】
第１５の発明に係るｘＤＳＬ通信システムは、ケーブル内に複数が束ねられていて２本で一組の金属線からなる電話回線で局側装置と端末装置とを接続して電話帯域の周波数よりも高い周波数でデジタル信号を伝送する通信用線路の中途の位置で各電話回線を接続する中継装置を備えたｘＤＳＬ通信システムにおいて、前記ケーブル内に束ねられた複数の電話回線中に使用されていない電話回線が存在する場合に、前記使用されていない電話回線の２本の金属線を接続する抵抗を前記中継装置に備えたことを特徴とする。
【００４２】
このような第１５の発明に係るｘＤＳＬ通信システムでは、ケーブルに束ねられた複数の電話回線に使用されていない電話回線の２本の金属線を接続する抵抗が中継装置に備えられているので、漏話信号により定在波が発生したとしてもその電力を逃がすことができる。
【００４３】
第１６の発明に係るｘＤＳＬ通信システムは、第１２乃至第１５の発明のいずれかにおいて、前記抵抗が前記使用されていない電話回線のインピーダンスに相当する抵抗値を有することを特徴とする。
【００４４】
このような第１６の発明に係るｘＤＳＬ通信システムでは、第１２乃至第１５の発明のいずれかにおいて、抵抗が使用されていない電話回線のインピーダンスに相当する抵抗値を有するので、使用されていない電話回線で漏話信号により定在波が発生したとしてもその電力をより確実に逃がすことができる。
【発明の効果】
【００４５】
第１の発明のｘＤＳＬ通信用線路のノイズ低減方法によれば、使用されていない電話回線の一端部又は両端部で２本の金属線が抵抗を介して接続され、漏話信号の反射が生じ難くなるので、ラジオ受信機，アマチュア無線等と干渉するおそれが小さくなる。このことは、第１の発明のｘＤＳＬ通信用線路のノイズ低減方法を採用した場合にはラジオ受信機，アマチュア無線等と干渉するおそれがある周波数のＰＳＤを低下させる必要がなくなることを意味しており、従ってデータ伝送速度が低下することもなくなるため、高速なデータ伝送を維持することが可能になる。
【００４６】
第２の発明のｘＤＳＬ通信用線路のノイズ低減方法によれば、使用されていない電話回線の局側装置の側の端部が局側装置の使用されていないポートに接続され、漏話信号の反射が生じ難くなり、ラジオ受信機，アマチュア無線等と干渉するおそれが小さくなる。このことは、第２の発明のｘＤＳＬ通信用線路のノイズ低減方法を採用した場合にはラジオ受信機，アマチュア無線等と干渉するおそれがある周波数のＰＳＤを低下させる必要がなくなることを意味しており、従ってデータ伝送速度が低下することもなくなるため、高速なデータ伝送を維持することが可能になる。
【００４７】
第３の発明のｘＤＳＬ通信用線路のノイズ低減方法によれば、使用されていない電話回線の局側装置の側の端部で２本の金属線が、局側装置のダミーポートの二つの端子に接続されることにより、抵抗を介して接続され、漏話信号の反射が生じ難くなり、ラジオ受信機，アマチュア無線等と干渉するおそれが小さくなる。このことは、第３の発明のｘＤＳＬ通信用線路のノイズ低減方法を採用した場合にはラジオ受信機，アマチュア無線等と干渉するおそれがある周波数のＰＳＤを低下させる必要がなくなることを意味しており、従ってデータ伝送速度が低下することもなくなるため、高速なデータ伝送を維持することが可能になる。
【００４８】
第４の発明のｘＤＳＬ通信用線路のノイズ低減方法によれば、使用されていない電話回線の中途の位置で２本の金属線が抵抗を介して接続され、漏話信号の反射が生じ難くなり、ラジオ受信機，アマチュア無線等と干渉するおそれが小さくなる。このことは、第４の発明のｘＤＳＬ通信用線路のノイズ低減方法を採用した場合にはラジオ受信機，アマチュア無線等と干渉するおそれがある周波数のＰＳＤを低下させる必要がなくなることを意味しており、従ってデータ伝送速度が低下することもなくなるため、高速なデータ伝送を維持することが可能になる。
【００４９】
第５の発明のｘＤＳＬ通信用線路のノイズ低減方法によれば、上述の第１、第３又は第４の発明のいずれかにおいて、抵抗が使用されていない電話回線のインピーダンスに相当する抵抗値を有するので、漏話信号の反射がほとんど生じないため、ラジオ受信機，アマチュア無線等と干渉するおそれが小さくなる。このことは、第５の発明のｘＤＳＬ通信用線路のノイズ低減方法を採用した場合にはラジオ受信機，アマチュア無線等と干渉するおそれがある周波数のＰＳＤを低下させる必要がなくなることを意味しており、従ってデータ伝送速度が低下することもなくなるため、高速なデータ伝送を維持することが可能になる。
【００５０】
第６の発明のｘＤＳＬ通信用線路の終端装置によれば、使用されていない電話回線の一端部又は両端部で２本の金属線を接続する抵抗が備えられているので、漏話信号の反射が生じ難くなり、ラジオ受信機，アマチュア無線等と干渉するおそれが小さくなる。このことは、第６の発明のｘＤＳＬ通信用線路の終端装置を採用した場合にはラジオ受信機，アマチュア無線等と干渉するおそれがある周波数のＰＳＤを低下させる必要がなくなることを意味しており、従ってデータ伝送速度が低下することもなくなるため、高速なデータ伝送を維持することが可能になる。
【００５１】
第７の発明のｘＤＳＬ通信用線路の終端装置によれば、第６の発明において、抵抗が使用されていない電話回線のインピーダンスに相当する抵抗値を有するので、漏話信号の反射がほとんど生じないため、ラジオ受信機，アマチュア無線等と干渉するおそれが小さくなる。このことは、第７の発明のｘＤＳＬ通信用線路の終端装置を採用した場合にはラジオ受信機，アマチュア無線等と干渉するおそれがある周波数のＰＳＤを低下させる必要がなくなることを意味しており、従ってデータ伝送速度が低下することもなくなるため、高速なデータ伝送を維持することが可能になる。
【００５２】
第８の発明に係るｘＤＳＬ通信用局側装置によれば、二つの端子間を抵抗を介して接続したダミーポートを備えており、ケーブルに束ねられた複数の電話回線に使用されていない電話回線の局側装置の側の端部で２本の金属線が局側装置のダミーポートの二つの端子に接続されるので、漏話信号の反射が生じ難くなり、ラジオ受信機，アマチュア無線等と干渉するおそれが小さくなる。このことは、第８の発明のｘＤＳＬ通信用局側装置を採用した場合にはラジオ受信機，アマチュア無線等と干渉するおそれがある周波数のＰＳＤを低下させる必要がなくなることを意味しており、従ってデータ伝送速度が低下することもなくなるため、高速なデータ伝送を維持することが可能になる。
【００５３】
第９の発明に係るｘＤＳＬ通信用局側装置によれば、第８の発明において、抵抗が使用されていない電話回線のインピーダンスに相当する抵抗値を有するので、漏話信号の反射がほとんど生じないため、ラジオ受信機，アマチュア無線等と干渉するおそれが小さくなる。このことは、第９の発明のｘＤＳＬ通信用局側装置を採用した場合にはラジオ受信機，アマチュア無線等と干渉するおそれがある周波数のＰＳＤを低下させる必要がなくなることを意味しており、従ってデータ伝送速度が低下することもなくなるため、高速なデータ伝送を維持することが可能になる。
【００５４】
第１０の発明に係るｘＤＳＬ通信用線路の中継装置によれば、ケーブルに束ねられた複数の電話回線に使用されていない電話回線の２本の金属線を接続する抵抗を備えているので、漏話信号により定在波が発生したとしてもその電力を逃がすことができるので、ラジオ受信機，アマチュア無線等と干渉するおそれが小さくなる。このことは、第１０の発明のｘＤＳＬ通信用線路の中継装置を採用した場合にはラジオ受信機，アマチュア無線等と干渉するおそれがある周波数のＰＳＤを低下させる必要がなくなることを意味しており、従ってデータ伝送速度が低下することもなくなるため、高速なデータ伝送を維持することが可能になる。
【００５５】
第１１の発明に係るｘＤＳＬ通信用局側装置によれば、第１０の発明において、抵抗が使用されていない電話回線のインピーダンスに相当する抵抗値を有するので、漏話信号により定在波が発生したとしてもその電力をより確実に逃がすことができるので、ラジオ受信機，アマチュア無線等と干渉するおそれが小さくなる。このことは、第１１の発明のｘＤＳＬ通信用局側装置を採用した場合にはラジオ受信機，アマチュア無線等と干渉するおそれがある周波数のＰＳＤを低下させる必要がなくなることを意味しており、従ってデータ伝送速度が低下することもなくなるため、高速なデータ伝送を維持することが可能になる。
【００５６】
第１２の発明に係るｘＤＳＬ通信システムによれば、ケーブルに束ねられた複数の電話回線に使用されていない電話回線の一端部又は両端部の２本の金属線が抵抗を介して接続されているので、漏話信号の反射が生じ難くなり、ラジオ受信機，アマチュア無線等と干渉するおそれが小さくなる。このことは、第１２の発明のｘＤＳＬ通信システムを採用した場合にはラジオ受信機，アマチュア無線等と干渉するおそれがある周波数のＰＳＤを低下させる必要がなくなることを意味しており、従ってデータ伝送速度が低下することもなくなるため、高速なデータ伝送を維持することが可能になる。
【００５７】
第１３の発明に係るｘＤＳＬ通信システムによれば、ケーブルに束ねられた複数の電話回線に使用されていない電話回線の局側装置の側の端部が局側装置の使用されていないポートに接続されているので、漏話信号の反射が生じ難くなり、ラジオ受信機，アマチュア無線等と干渉するおそれが小さくなる。このことは、第１３の発明のｘＤＳＬ通信システムを採用した場合にはラジオ受信機，アマチュア無線等と干渉するおそれがある周波数のＰＳＤを低下させる必要がなくなることを意味しており、従ってデータ伝送速度が低下することもなくなるため、高速なデータ伝送を維持することが可能になる。
【００５８】
第１４の発明に係るｘＤＳＬ通信システムによれば、局側装置が二つの端子間を抵抗で接続したダミーポートを備えており、ケーブルに束ねられた複数の電話回線に使用されていない電話回線の局側装置の側の端部の２本の金属線が局側装置のダミーポートの二つの端子に接続することにより、抵抗を介して接続されているので、漏話信号の反射が生じ難くなり、ラジオ受信機，アマチュア無線等と干渉するおそれが小さくなる。このことは、第１４の発明のｘＤＳＬ通信システムを採用した場合にはラジオ受信機，アマチュア無線等と干渉するおそれがある周波数のＰＳＤを低下させる必要がなくなることを意味しており、従ってデータ伝送速度が低下することもなくなるため、高速なデータ伝送を維持することが可能になる。
【００５９】
第１５の発明に係るｘＤＳＬ通信システムによれば、ケーブルに束ねられた複数の電話回線に使用されていない電話回線の２本の金属線を接続する抵抗が中継装置に備えられているので、漏話信号により定在波が発生したとしてもその電力を逃がすことができるので、ラジオ受信機，アマチュア無線等と干渉するおそれが小さくなる。このことは、第１５の発明のｘＤＳＬ通信システムを採用した場合にはラジオ受信機，アマチュア無線等と干渉するおそれがある周波数のＰＳＤを低下させる必要がなくなることを意味しており、従ってデータ伝送速度が低下することもなくなるため、高速なデータ伝送を維持することが可能になる。
【００６０】
第１６の発明に係るｘＤＳＬ通信システムによれば、第１２乃至第１５の発明のいずれかにおいて、抵抗が使用されていない電話回線のインピーダンスに相当する抵抗値を有するので、漏話信号により定在波が発生したとしてもその電力をより確実に逃がすことができるので、ラジオ受信機，アマチュア無線等と干渉するおそれが小さくなる。このことは、第１６の発明のｘＤＳＬ通信システムを採用した場合にはラジオ受信機，アマチュア無線等と干渉するおそれがある周波数のＰＳＤを低下させる必要がなくなることを意味しており、従ってデータ伝送速度が低下することもなくなるため、高速なデータ伝送を維持することが可能になる。
【発明を実施するための最良の形態】
【００６１】
以下、本発明をその実施の形態を示す図面に基づいて詳述する。
【００６２】
図１は本発明のｘＤＳＬ通信用線路のノイズ低減方法の第１の実施の形態の原理及び本発明のｘＤＳＬ通信システムの構成を示す模式図である。
【００６３】
この第１の実施の形態では、図１に示されているように、ケーブル１にそれぞれが２本の金属線（たとえば銅線）からなる３本の電話回線1-0,1-1 及び1-2 が収容されており、その内の電話回線1-0 及び1-1 はＤＳＬ伝送路として使用中であり、他の電話回線1-2 は未使用である。なおこの場合、電話回線が未使用である、とはＤＳＬ伝送路としては勿論のこと、通常の電話回線としても（通常の電話機を接続した状態）としても全く使用されていない状態を意味する。
【００６４】
具体的には、電話回線1-0 及び1-1 は、それぞれの一端がＤＳＬ親機である局側装置１０の第１及び第２ポートＰ１，Ｐ２に、それぞれの他端がＤＳＬ端末側機である端末側装置２０-0及び２０-1のポートＰ‐0 ，Ｐ‐1 にそれぞれ接続されていてＤＳＬ伝送路として使用中である。一方、電話回線1-2 は、ＤＳＬ伝送路としても通常の電話用としても使用されておらず、従来であればその両端は開放されたままの状態にされる。従って、局側装置１０の第３ポートＰ３は使用されていない。
【００６５】
しかし、本発明の第１の実施の形態では、この未使用の電話回線1-2 の両開放端にそれぞれ抵抗Ｒ１を接続する構成を採る。但し、これらの抵抗Ｒ１は未使用の電話回線1-2 のケーブルインピーダンスに相当する抵抗値とすることにより、インピーダンスマッチングをとることが望ましい。なお、電話回線のケーブルインピーダンスは通常は 100又は 110Ωである。
【００６６】
このような本発明の第１の実施の形態では、ＤＳＬ伝送路として使用中の電話回線1-0 及び1-1 と同一のケーブル１に収容されている未使用のケーブル1-2 の両開放端において２本の金属線を抵抗Ｒ１で接続することにより、ＤＳＬ伝送路として使用中の電話回線1-0 及び1-1 からの漏話信号の両開放端での反射を抑制することが可能になるので、定在波の発生も当然のことながら抑制される。
【００６７】
更に、抵抗Ｒ１の抵抗値を電話回線のケーブルインピーダンスである 100又は 110Ωとした場合には電話回線1-0 及び1-1 からの漏話信号の電話回線1-2 の両開放端での反射はほとんど生じなくなる。
【００６８】
図２は本発明のｘＤＳＬ通信用線路のノイズ低減方法の第２の実施の形態の原理及び本発明のｘＤＳＬ通信システムの構成を示す模式図である。
【００６９】
上述の第１の実施の形態では、未使用の電話回線1-2 の両開放端にそれぞれ抵抗Ｒ１を接続する構成を採ったが、第２の実施の形態では図２に示すように、未使用の電話回線1-2 の両開放端の内のいずれか一方に抵抗Ｒ１を接続する構成を採る。
【００７０】
勿論、第２の実施の形態においても上述の第１の実施の形態と同様に、抵抗Ｒ１は未使用の電話回線1-2 のケーブルインピーダンスに相当する抵抗値としてインピーダンスマッチングをとることが望ましいことはいうまでもない。
【００７１】
このような本発明の第２の実施の形態では、ＤＳＬ伝送路として使用中の電話回線1-0 及び1-1 と同一のケーブル１に収容されている未使用のケーブル1-2 の両開放端の内の一方の開放端において２本の金属線間を抵抗Ｒ１で接続することにより、ＤＳＬ伝送路として使用中の電話回線1-0 及び1-1 からの漏話信号の一方の開放端での反射を抑制することが可能になるので、定在波の発生も当然のことながら抑制される。
【００７２】
更に、抵抗Ｒ１の抵抗値を電話回線のケーブルインピーダンスである 100又は 110Ωとした場合には電話回線1-0 及び1-1 からの漏話信号の電話回線1-2 の一方の開放端での反射はほとんど生じなくなる。
【００７３】
図３は本発明のｘＤＳＬ通信用線路のノイズ低減方法の第３の実施の形態の原理及び本発明のｘＤＳＬ通信システムの構成を示す模式図である。
【００７４】
上述の第１、第２の実施の形態では、未使用の電話回線1-2 の両開放端、またはいずれか一方の開放端に抵抗Ｒ１を接続する構成を採ったが、第３の実施の形態では図３に示されているように、未使用の電話回線1-2 の両開放端の内の局側装置１０側の開放端を局側装置１０の未使用のポート（図３に示す例では第３のポートＰ３）に接続する構成を採る。
【００７５】
この場合、未使用の電話回線1-2 の両開放端の内の局側装置１０の未使用のポートＰ３に接続された一方の開放端のインピーダンスマッチングをとることが可能になる。
【００７６】
このような本発明の第３の実施の形態では、ＤＳＬ伝送路として使用中の電話回線1-0 及び1-1 と同一のケーブル１に収容されている未使用のケーブル1-2 の両開放端の内の一方の開放端においてインピーダンスマッチングをとることができるのでＤＳＬ伝送路として使用中の電話回線1-1 からの漏話信号の一方の開放端での反射を抑制することが可能になるので、定在波の発生も当然のことながら抑制される。
【００７７】
なおこの第３の実施の形態において、未使用の電話回線1-2 の局側装置１０の未使用のポートに接続されない側の開放端に上述の第１、第２の実施の形態と同様に抵抗を接続してもよいことはいうまでもない。
【００７８】
図４は本発明のｘＤＳＬ通信用線路のノイズ低減方法の第４の実施の形態の原理及び本発明のｘＤＳＬ通信システムの構成を示す模式図である。
【００７９】
上述の第３の実施の形態では、未使用の電話回線1-2 の両開放端の内の局側装置１０側の開放端を局側装置１０の未使用のポート（図３に示す例では第３のポートＰ３）に接続する構成を採ったが、この第４の実施の形態では、局側装置１０に両端子間に抵抗を接続したポート（以下、ダミーポートＰＤという）を予め用意しておく。なお図４に示す例では、ダミーポートＰＤは一つのみが予め備えられている。そして、未使用の電話回線1-2 の両開放端の内の局側装置１０側の開放端を局側装置１０のダミーポートＰＤに接続する構成を採る。
【００８０】
このような本発明の第４の実施の形態では、ＤＳＬ伝送路として使用中の電話回線1-0 及び1-1 と同一のケーブル１に収容されている未使用のケーブル1-2 の一方の開放端において２本の金属線間をダミーポートＰＤの両端子に接続することにより抵抗を介して接続させることができるので、ＤＳＬ伝送路として使用中の電話回線1-0 及び1-1 からの漏話信号の両開放端での反射を抑制することが可能になるので、定在波の発生も当然のことながら抑制される。
【００８１】
なお、この第４の実施の形態においても前述の第１の実施の形態と同様に、ダミーポート内の抵抗の抵抗値を未使用の電話回線1-2 のケーブルインピーダンスに相当する抵抗値とすることにより、インピーダンスマッチングをとることが望ましい。この場合、未使用の電話回線1-2 の両開放端の内の局側装置１０のダミーポートに接続された一方の開放端のインピーダンスマッチングをとることが可能になる。
【００８２】
更にこの第４の実施の形態において、未使用の電話回線1-2 の局側装置１０の未使用のポートに接続されない側の開放端に上述の第１、第２の実施の形態と同様に抵抗を接続してもよいことはいうまでもない。
【００８３】
なお、以上の第１乃至第４の実施の形態ではＤＳＬ伝送路として使用中の電話回線を２本、未使用の電話回線を１本としてケーブル１に収容した構成を例示したが、これはあくまでも例示であり、本発明ではＤＳＬ伝送路として使用中の電話回線及び未使用の電話回線の数、及び同一のケーブル１に収容される電話回線の数を限定するものではない。
【００８４】
また、以上の第１乃至第３の実施の形態では局側装置１０のポート数をケーブル１が収容する電話回線の数に対応する３個としたが、本発明は局側装置１０のポート数を限定するものではない。更に第４の実施の形態では局側装置１０のポート数をケーブル１が収容する電話回線の内の使用中の数に対応する２個とし、ダミーポートの数をケーブル１が収容する電話回線の内の未使用の数に対応する１個としたが、本発明は局側装置１０の使用可能なポート数及びダミーポートの数を限定するものではない。
【００８５】
図５は本発明のｘＤＳＬ通信用線路のノイズ低減方法の第５の実施の形態の原理及び本発明のｘＤＳＬ通信システムの構成を示す模式図である。
【００８６】
以上の第１乃至第４の実施の形態では、未使用の電話回線1-2 の両開放端またはその内の一方に抵抗を接続することを基本的な構成としているが、第５の実施の形態では電話回線がケーブルの中途の位置で剥き出しになっているような場合を対象としている。
【００８７】
このような場合、図５に示すように、１本の電話回線を構成する２本の金属線の間を抵抗Ｒ２を介して接続する構成を採る。具体的には、図５において１５は中継装置としてのＩＤＦ（Intermediate Distribution Frame:中間配線盤）を示している。ＩＤＦは、たとえば局側装置１０からケーブル１を介してビル等に配線されているような場合には、ケーブル１に収容されている複数の電話回線を一旦このＩＤＦで受け、これらの電話回線をたとえばビルの各フロア毎にまとめてケーブル１′で配線するような場合に使用される。従って、このＩＤＦの部分において、未使用の電話回線1-2 を構成する２本の金属線間を抵抗Ｒ２で接続する構成を採ることができる。
【００８８】
このような本発明の第５の実施の形態では、ＤＳＬ伝送路として未使用のケーブル1-2 の中途の位置において２本の金属線間を抵抗Ｒ２を介して接続することにより電力をこの抵抗Ｒ２に逃がすことが可能になるので、ＤＳＬ伝送路として使用中の電話回線1-0 及び1-1 からの漏話信号によって定在波がたとえ発生したとしてもその電力を逃がして減少させることができる。
【００８９】
更に、抵抗Ｒ２の抵抗値を電話回線のケーブルインピーダンスである 100又は 110Ωとした場合には電話回線1-0 及び1-1 からの漏話信号によって定在波がたとえ発生したとしてもその電力をより確実に逃がして減少させることができる。
【００９０】
なお、この第５の実施の形態ではＤＳＬ伝送路として使用中の電話回線を２本、未使用の電話回線を１本としてケーブル１に収容した構成を例示したが、これはあくまでも例示であり、本発明ではＤＳＬ伝送路として使用中の電話回線及び未使用の電話回線の数、及び同一のケーブル１に収容される電話回線の数を限定するものではない。
【００９１】
ところで、第１及び第２の実施の形態に用いられる抵抗Ｒ１は、電話回線の２本の金属線に直接その両端が接続されるようにしても勿論かまわないが、予め適宜の抵抗値の抵抗素子を組み込んで電話回線の開放端に容易に接続可能な終端装置として構成しておいたほうが便利である。以下、そのような終端装置のいくつかの例について説明する。
【００９２】
図６(a) 及び図６(b) は未使用の電話回線1-2 の一端又は両端の開放端に好適な終端装置の第１の実施の形態を示す模式図である。
【００９３】
この終端装置の第１の実施の形態では、未使用の電話回線1-2 の開放端にはモジュラジャック３０が接続されている場合の終端装置の例が示されている。なお、モジュラジャック３０そのものは公知の規格化された構成である。
【００９４】
終端装置４０は、側面視で凹状の本体４１の開放部をカバー４２で覆うように構成されている。本体４１は底板４１０の両端部にそれぞれ側板４１１と４１２とが相互に平行に、且つ底板４１０に直角になるように取り付けられている。そして、一方の側板４１１にはモジュラジャック３０のレセプタクル４３が備えられている。このレセプタクル４３もそれ自体は公知の規格化された構成である。
【００９５】
そして、本体４１内には図１及び図２の抵抗Ｒ１に相当する抵抗素子４４が内蔵されており、本体４１の底板４１０にはモジュラジャック３０がレセプタクル４３に挿入された場合に電話回線の２本の金属線が抵抗素子４を介して接続されるように配線が設けられている。
【００９６】
従って、未使用の電話回線1-2 の先端に備えられているモジュラジャック３０が図６に示す終端装置４０のレセプタクル４３に挿入されると、未使用の電話回線1-2 の２本の金属線は抵抗素子４４を介して接続されることになり、図１、図２に示した抵抗Ｒ１が未使用の電話回線1-2 の開放端に接続された状態と等価な状態になる。
【００９７】
図７(a) 及び図７(b) は未使用の電話回線1-2 の一端又は両端の開放端に好適な終端装置の第２の実施の形態を示す模式図である。
【００９８】
この終端装置の第２の実施の形態では、未使用の電話回線1-2 の開放端には何等の加工も施されておらず、金属線が剥き出しの状態になっている。
【００９９】
終端装置５０は、側面視で凹状の本体５１の開放部をカバー５２で覆うように構成されている。本体５１は底板５１０の両端部にそれぞれ側板５１１と５１２とが相互に平行に、且つ底板５１０に直角になるように取り付けられている。そして、一方の側板５１１には電話回線の金属線をそのまま挿入するための電話線挿入穴５３が２本の金属線に対応して２個設けられている。
【０１００】
各電話線挿入穴５３は電話回線の金属線よりも若干大なる内径を有するスリーブ５４を一方の側板５１１の適宜の位置に並列に配置して構成されている。そして、終端装置５０の内部側には、スリーブ５４に基部が固定されて先端部が相互に当接するように弾性を付与された金属（たとえば真鍮等）製の２枚の舌状部材で構成されるクリップ部材５５が取り付けられている。
【０１０１】
また、本体５１内には図１及び図２の抵抗Ｒ１に相当する抵抗素子４４が内蔵されており、上述の二つのクリップ部材５５と抵抗素子の両端部とを接続するように配線が設けられている。
【０１０２】
従って、未使用の電話回線1-2 の先端の剥き出しの部分をそれぞれ挿入穴５３に挿入すると、それぞれクリップ部材５５を若干押し広げるようにして挿入されてゆくので、最終的には未使用の電話回線1-２の２本の金属線がそれぞれクリップ部材５５により挟みつけられた状態で固定される。これにより、未使用の電話回線1-2 の２本の金属線は抵抗素子４４を介して接続されることになり、図１、図２に示した抵抗Ｒ１が未使用の電話回線1-2 の開放端に接続された状態と等価な状態になる。
【０１０３】
図８(a) 及び図８(b) は未使用の電話回線1-2 の一端又は両端の開放端に好適な終端装置の第３の実施の形態を示す模式図である。
【０１０４】
この終端装置の第３の実施の形態では、未使用の電話回線1-2 の開放端には何等の加工も施されておらず、金属線が剥き出しの状態になっている。
【０１０５】
終端装置６０は、側面視で凹状の本体６１の開放部をカバー６２で覆うように構成されている。本体６１は底板６１０の両端部にそれぞれ側板６１１と６１２とが相互に平行に、且つ底板６１０に直角になるように取り付けられている。そして、一方の側板６１１には電話回線の金属線をそのまま挿入するための電話線挿入穴６３が２本の金属線に対応して２個設けられている。
【０１０６】
各電話線挿入穴６３は電話回線の金属線よりも若干大なる内径を有するスリーブ６４を一方の側板６１１の適宜の位置に並列に配置して構成されている。そして、終端装置６０の内部側には、図８(b) に示すようなクリップ部６００が両スリーブ６４の位置に対応して備えられている。
【０１０７】
クリップ部６００は、底板６１０に直接固定された第１クリップ部６５と、底板６１０から適宜の高さの位置に回転軸６０１で支持された第２クリップ部６６とで構成されている。第１クリップ部６５はその上端部に鋸歯状のクリップ手段６８Ｌが形成されている。一方、第２クリップ部６６はその中途部分が「く」の字状に屈曲された形状に形成されており、この屈曲部分に前述した回転軸６０１が挿通されて回動自在に底板６１０に固定されている。
【０１０８】
第２クリップ部６６の屈曲部よりもスリーブ６４寄りの部分は底板６１０とほぼ平行な板状に形成されており、その先端には金属（たとえば真鍮）製の鋸歯状のクリップ手段６８Ｕが形成されており、前述した第１クリップ部６５の上端部に形成されている鋸歯状のクリップ手段６８Ｌと噛合するようになっている。そして、一端部が底板６１０に固定されており、他端部がこの第２クリップ部６６の屈曲部よりもスリーブ６４寄りの部分を下方へ付勢するスプリング６０２が備えられている。
【０１０９】
また、図示はしないが、本体６１内には図１及び図２の抵抗Ｒ１に相当する抵抗素子４４が内蔵されており、上述の二つのクリップ部６００の相互に噛合するクリップ手段６８Ｕ，６８Ｌと抵抗素子４４の両端部とを接続するように配線が設けられている。
【０１１０】
従って、両クリップ部６００の第２クリップ部６６を下方へ押圧するとクリップ手段６８Ｕ，６８Ｌとの間に間隙が生じるので、未使用の電話回線1-2 の先端の剥き出しの部分をそれぞれ挿入穴６３に挿入すると、それぞれのクリップ部６００のクリップ手段６８Ｕ，６８Ｌにより電話回線1-２の２本の金属線がそれぞれクリップされた状態で固定される。これにより、未使用の電話回線1-2 の２本の金属線は抵抗素子４４を介して接続されることになり、図１、図２に示した抵抗Ｒ１が未使用の電話回線1-2 の開放端に接続された状態と等価な状態になる。
【０１１１】
なお、図８に示した構成において、第２クリップ部６６をカバー６２内に納め、その端部をカバー６２外に一部を突出させた押しボタンを押下することにより下方へ押圧するような構成とすることも勿論可能である。
【図面の簡単な説明】
【０１１２】
【図１】本発明のｘＤＳＬ通信用線路のノイズ低減方法の第１の実施の形態の原理及び本発明のｘＤＳＬ通信システムの構成を示す模式図である。
【図２】本発明のｘＤＳＬ通信用線路のノイズ低減方法の第２の実施の形態の原理及び本発明のｘＤＳＬ通信システムの構成を示す模式図である。
【図３】本発明のｘＤＳＬ通信用線路のノイズ低減方法の第３の実施の形態の原理及び本発明のｘＤＳＬ通信システムの構成を示す模式図である。
【図４】本発明のｘＤＳＬ通信用線路のノイズ低減方法の第４の実施の形態の原理及び本発明のｘＤＳＬ通信システムの構成を示す模式図である。
【図５】本発明のｘＤＳＬ通信用線路のノイズ低減方法の第５の実施の形態の原理及び本発明のｘＤＳＬ通信システムの構成を示す模式図である。
【図６】未使用の電話回線一端又は両端の開放端に好適な終端装置の第１の実施の形態を示す模式図である。
【図７】未使用の電話回線の一端又は両端の開放端に好適な終端装置の第２の実施の形態を示す模式図である。
【図８】未使用の電話回線の一端又は両端の開放端に好適な終端装置の第３の実施の形態を示す模式図である。
【図９】本願発明者が電波暗室を使用して放射電界を測定した結果を示すための、試験方法の模式図(a) 及び試験結果のグラフ(b) である。
【符号の説明】
【０１１３】
１，１′    ケーブル
１-0    電話回線（使用中）
１-1    電話回線（使用中）
１-2    電話回線（未使用）
１０    局側装置
１５    ＩＤＦ（中継装置）
２０（２０-0，２０-1）    端末側装置
４０    終端装置
４４    抵抗素子
５０    終端装置
６０    終端装置
Ｐ１，Ｐ２，Ｐ３  （局側装置の）ポート
Ｐ-0，Ｐ-1  （端末側装置の）ポート
ＰＤ    ダミーポート
Ｒ１，Ｒ２    抵抗
【図１】
2005027226.tif 000003
【図２】
2005027226.tif 000004
【図３】
2005027226.tif 000005
【図４】
2005027226.tif 000006
【図５】
2005027226.tif 000007
【図６】
2005027226.tif 000008
【図７】
2005027226.tif 000009
【図８】
2005027226.tif 000010
【図９】
2005027226.tif 000011